(57)【要約】【課題】襟部の裾が身頃から大きく離れることを抑制することのできる分離型上衣、およびその襟部を提供する。【解決手段】タートルネックセーター１０は、クルーネックセーター２０とネックウォーマー３０とが分離して形成されている。ネックウォーマー３０の背面側にはスリット３９が形成されている。このため、ユーザー９０がタートルネックセーター１０を着衣したとき、ネックウォーマー３０とユーザー９０の体との接触にともないネックウォーマー３０の裾３８が広がりやすい。これにより、ネックウォーマー３０の裾３８がクルーネックセーター２０にフィットする。【選択図】図４
2012001867.tif 000002
【特許請求の範囲】
【請求項１】
身頃と襟部とが分離した形態の分離型上衣の襟部において、
裾にスリットが設けられている
ことを特徴とする分離型上衣の襟部。
【請求項２】
請求項１に記載の分離型上衣の襟部において、
丈方向に沿うように前記スリットが設けられている
ことを特徴とする分離型上衣の襟部。
【請求項３】
請求項１または２に記載の分離型上衣の襟部において、
背面側にだけ前記スリットが設けられている
ことを特徴とする分離型上衣の襟部。
【請求項４】
請求項３に記載の分離型上衣の襟部において、
背面側の左右方向中央の１箇所にだけ前記スリットが設けられている
ことを特徴とする分離型上衣の襟部。
【請求項５】
請求項１〜４のいずれか一項に記載の分離型上衣の襟部において、
前記スリットの丈が当該襟部の丈の半分よりも短い
ことを特徴とする分離型上衣の襟部。
【請求項６】
請求項１〜５のいずれか一項に記載の分離型上衣の襟部において、
丈がユーザーの首よりも長い
ことを特徴とする分離型上衣の襟部。
【請求項７】
身頃と襟部とが分離した形態の分離型上衣において、
前記襟部として、請求項１〜６のいずれか一項に記載の襟部を有する
ことを特徴とする分離型上衣。
【請求項８】
請求項７に記載の分離型上衣において、
前記襟部には前記襟部を前記身頃に取り付けるための取付部材が設けられていない
ことを特徴とする分離型上衣。
【発明の詳細な説明】
【技術分野】
【０００１】
本発明は、身頃と襟部とが分離した形態の分離型上衣およびその襟部に関する。
【背景技術】
【０００２】
上記分離型上衣として特許文献１に記載のものが知られている。
【先行技術文献】
【特許文献】
【０００３】
【特許文献１】特開２００５−２２６１９２号公報
【発明の概要】
【発明が解決しようとする課題】
【０００４】
上記分離型上衣は、身頃と襟部とを単に分離しただけのものであるため、襟部を着衣したときに襟部の裾が身頃から大きく離れてしまう。
本発明はこのような実情に鑑みてなされたものであり、その目的は、襟部の裾が身頃から大きく離れることを抑制することのできる分離型上衣、およびその襟部を提供することにある。
【課題を解決するための手段】
【０００５】
（１）請求項１に記載の発明は、身頃と襟部とが分離した形態の分離型上衣の襟部において、裾にスリットが設けられていることを要旨としている。
この発明の襟部によれば、裾にスリットが設けられているため、ユーザーが当該襟部を着衣したときに体との接触にともない襟部の裾が広がりやすい。このため、身頃と襟部とを単に分離した形態の分離型上衣と比べて、襟部の裾が身頃から大きく離れることを抑制することができる。
【０００６】
（２）請求項２に記載の発明は、請求項１に記載の分離型上衣の襟部において、丈方向に沿うように前記スリットが設けられていることを要旨としている。
この発明の襟部によれば、丈方向に沿うようにスリットが設けられているため、ユーザーが当該襟部を着衣したときにスリットの設けられた部分の両側の生地が丈方向に対して左右対称に離間しやすい。このため、着衣したときの美観が向上する。
【０００７】
（３）請求項３に記載の発明は、請求項１または２に記載の分離型上衣の襟部において、背面側にだけ前記スリットが設けられていることを要旨としている。
この発明の襟部によれば、背面側にスリットが設けられているため、スリットが正面側および背面側の双方に設けられているものに比べて、ユーザーが当該襟部を着衣したときにスリットが他人の目に付きにくい。このため、着衣したときの美観が向上する。
【０００８】
（４）請求項４に記載の発明は、請求項３に記載の分離型上衣の襟部において、背面側の左右方向中央の１箇所にだけ前記スリットが設けられていることを要旨としている。
この発明の襟部によれば、背面側の左右方向中央の１箇所にだけスリットが設けられているため、複数のスリットが背面側に設けられているものに比べて、ユーザーが当該襟部を着衣したときにスリットが他人の目に付きにくい。このため、着衣したときの美観が向上する。
【０００９】
（５）請求項５に記載の発明は、請求項１〜４のいずれか一項に記載の分離型上衣の襟部において、前記スリットの丈が当該襟部の丈の半分よりも短いことを要旨としている。
この発明の襟部によれば、スリットの丈が襟部の丈の半分よりも短いため、スリットの丈が襟部の丈の半分よりも大きいものと比べて、襟部の生地同士を縫合する部分の長さを大きくとることができる。このため、ユーザーが当該襟部を着衣したときの襟部の形状が安定する。
【００１０】
（６）請求項６に記載の発明は、請求項１〜５のいずれか一項に記載の分離型上衣の襟部において、丈がユーザーの首よりも長いことを要旨としている。
この発明の襟部によれば、丈がユーザーの首よりも長いため、襟部を折り曲げた状態で着衣したときにも首の所定部分の周囲が襟部により覆われる。このため、襟部に厚みを持たせた状態で着衣することができる。
【００１１】
（７）請求項７に記載の発明は、身頃と襟部とが分離した形態の分離型上衣において、前記襟部として、請求項１〜６のいずれか一項に記載の襟部を有することを要旨としている。
【００１２】
この発明の分離型上衣によれば、襟部の裾にスリットが設けられているため、ユーザーが身頃および襟部を着衣したときに襟部の裾と身頃との間に大きな隙間が形成されることを抑制することができる。
【００１３】
（８）請求項８に記載の発明は、請求項７に記載の分離型上衣において、前記襟部には前記襟部を前記身頃に取り付けるための取付部材が設けられていないことを要旨としている。
【００１４】
身頃と襟部とが分離した形態の分離型上衣において、ユーザーが着衣したときに襟部を体のラインにフィットさせるための工夫として、襟部を身頃に取り付けるための取付部材（例えばボタンまたはフック）を設けることが考えられる。しかし、この場合には、襟部身頃に取り付けるときに指先で接続部材を操作する必要が生じるため、着衣するときに手間がかかる。この点、当該発明の分離型上衣によれば、襟部には取付部材が設けられていないため、また襟部のスリットにより体へのフィット性が確保されているため、ユーザーが手軽に着用できる襟部でありながら襟部の裾が身頃から大きく離れることを抑制することができる。
【発明の効果】
【００１５】
この発明によれば、襟部の裾が身頃から大きく離れることを抑制することのできる分離型上衣、およびその襟部を提供することができる。
【図面の簡単な説明】
【００１６】
【図１】本発明の一実施形態の分離型上衣について、その正面構造を示す正面図。
【図２】同実施形態の分離型上衣の襟部について、（ａ）は展開形態の正面構造を示す正面図、（ｂ）は展開形態の背面構造を示す背面図。
【図３】同実施形態の分離型上衣の襟部について、（ａ）は着衣形態の正面構造を示す正面図、（ｂ）は着衣形態の背面構造を示す背面図。
【図４】同実施形態の分離型上衣を着衣したユーザーについて、（ａ）はその正面構図を示す正面図、（ｂ）はその背面構造を示す背面図。
【発明を実施するための形態】
【００１７】
図１〜図４を参照して、本発明の一実施形態について説明する。この実施形態では、身頃と襟部とが分離した形態のタートルネックセーターとして本発明を実施した一例を示している。
【００１８】
図１に、タートルネックセーター１０の正面構造を示す。
タートルネックセーター１０は、ユーザー９０（図４参照）の上半身に着衣されるクルーネックセーター２０と、ユーザー９０の首まわりに着衣されるネックウォーマー３０とを含む。クルーネックセーター２０およびネックウォーマー３０は、互いに分離してそれぞれ天竺編みにより形成されている。
【００１９】
クルーネックセーター２０およびネックウォーマー３０の素材としては、ウール５０％およびアクリル５０％の混紡糸が用いられている。ウールとしては、なめらかな風合いのセーターを形成することに適したエクストラファインメリノウールが用いられている。アクリルとしては、毛玉が形成されにくい抗ピル系アクリルが用いられている。
【００２０】
クルーネックセーター２０は、ユーザー９０の胸部および腹部および背中および腰等を覆う身頃２１と、ユーザー９０の腕を覆う左右の袖２２とを含む。身頃２１および各袖２２は、互いに縫い合わせられることにより一体の被服として形成されている。
【００２１】
身頃２１の上部には、ユーザー９０の首をとおすための開口部分２３が形成されている。ネックウォーマー３０の内側には、ユーザー９０の首をとおすための開口部分３６が形成されている。
【００２２】
クルーネックセーター２０においては、ネックウォーマー３０を取り外して利用するときに、ユーザー９０の首もとの美観が損なわれないように開口部分２３の面積が大きく確保されている。
【００２３】
図２および図３を参照して、ネックウォーマー３０の構造について説明する。
ネックウォーマー３０は、上側の一部分が内側に折り込まれた状態で着衣される。ネックウォーマー３０の着衣の仕方は特にこれに限られるものではないが、ここでは図３に示される状態を基本的な着衣の形態として説明する。以下では、上側の一部分が内側に折り込まれたネックウォーマー３０の形態を「着衣形態」とし、展開されたネックウォーマー３０の形態を「展開形態」として示す。
【００２４】
図２を参照して、展開形態のネックウォーマー３０の構造について説明する。
ネックウォーマー３０は、上縁３１および下縁３２および左縁３３および右縁３４により囲まれる矩形状のニットについて、その左縁３３および右縁３４が互いに縫い合わせられた環状の被服として形成されている。
【００２５】
左縁３３と右縁３４とが互いに縫い合わせられた部分（以下、「縫合部３７」）は、ネックウォーマー３０の背面側において、上縁３１から下縁３２よりも上側の所定位置までにわたり形成されている。
【００２６】
ネックウォーマー３０の裾３８には、Ｖ字形状のスリット３９が形成されている。スリット３９は、左縁３３および右縁３４が互いに縫い合わせられていない部分に相当する。また、スリット３９の上端は縫合部３７の下端に相当する。スリット３９において、左縁３３と右縁３４との間隔は下縁３２側から上縁３１側に向かうにつれて次第に狭くなる。
【００２７】
図３を参照して、着衣形態のネックウォーマー３０の構造について説明する。
着衣形態のネックウォーマー３０においては、その上端に折り目としての中縁３５が形成される。また、裏側においてスリット３９と中縁３５との間に上縁３１が位置する。
【００２８】
ここで、ネックウォーマー３０の丈として次のものを規定する。すなわち、展開形態のネックウォーマー３０の上縁３１から下縁３２までの長さを「展開丈ＨＡ」とする。また、使用形態のネックウォーマー３０の中縁３５から下縁３２までの長さを「着衣丈ＨＢ」とする。また、使用形態のネックウォーマー３０の中縁３５から上縁３１までの長さを「曲げ丈ＨＣ」とする。また、スリット３９の上端から下端までの長さを「スリット丈ＨＤ」とする。
【００２９】
上記の各丈の関係を以下に示す。
・展開丈ＨＡは、ユーザー９０の首の長さよりも大きい。
・着衣丈ＨＢは、展開丈ＨＡよりも小さい。
・着衣丈ＨＢは、ユーザー９０の首の長さと略同じまたはこれよりも大きい。
・曲げ丈ＨＣは、着衣丈ＨＢよりも小さい。
・スリット丈ＨＤは、曲げ丈ＨＣよりも小さい。
【００３０】
図４に、タートルネックセーター１０を着衣したユーザー９０の上半身を示す。
ユーザー９０は次の手順でタートルネックセーター１０を着衣することができる。
（手順１）クルーネックセーター２０を着衣する。
（手順２）ネックウォーマー３０の一部分を内側に折り曲げて着衣形態にする。
（手順３）着衣形態のネックウォーマー３０を着衣する。
（手順４）スリット３９が背中側の左右方向中央に位置するように調整する。
【００３１】
ユーザー９０がタートルネックセーター１０を着衣した状態においては、クルーネックセーター２０の開口部分２３がネックウォーマー３０により覆われる。また、ユーザー９０の首の略全体がネックウォーマー３０により覆われる。また、ネックウォーマー３０のスリット３９が背面側の左右方向中央に位置する。また、体との接触にともないスリット３９が左右方向の間隔が広がることにより、ネックウォーマー３０の裾が身頃にフィットするように広がる。
【００３２】
この実施形態によれば以下の効果を奏することができる。
（１）タートルネックセーター１０においては、ネックウォーマー３０の裾３８にスリット３９が設けられている。この構成によれば、ユーザー９０がネックウォーマー３０を着衣したときにクルーネックセーター２０（ユーザー９０の体）との接触にともないネックウォーマー３０の裾３８が広がりやすい。このため、身頃と襟部とを単に分離した形態の分離型上衣と比べて、ネックウォーマー３０の裾３８が身頃から大きく離れることを抑制することができる。
【００３３】
（２）タートルネックセーター１０においては、ネックウォーマー３０の丈方向に沿うようにスリット３９が設けられている。この構成によれば、ユーザー９０がネックウォーマー３０を着衣したときにスリット３９の設けられた部分の両側の生地が丈方向に対して左右対称に離間しやすい。このため、着衣したときの美観が向上する。
【００３４】
（３）タートルネックセーター１０においては、ネックウォーマー３０の背面側にだけスリット３９が設けられている。この構成によれば、スリット３９が正面側および背面側に設けられているものに比べて、ユーザー９０がネックウォーマー３０を着衣したときにスリット３９が他人の目に付きにくい。このため、着衣したときの美観が向上する。
【００３５】
（４）タートルネックセーター１０においては、ネックウォーマー３０の背面側の左右方向中央の１箇所にだけスリット３９が設けられている。この構成によれば、複数のスリットが背面側に設けられているものに比べて、ユーザー９０がネックウォーマー３０を着衣したときにスリット３９が他人の目に付きにくい。このため、着衣したときの美観が向上する。
【００３６】
（５）タートルネックセーター１０においては、スリット丈ＨＤが着衣丈ＨＢよりも短い。この構成によれば、スリット丈ＨＤが着衣丈ＨＢよりも大きいものと比べて、縫合部３７の長さを大きくとることができる。このため、ユーザー９０がネックウォーマー３０を着衣したときの同ウォーマー３０の形状が安定する。
【００３７】
（６）タートルネックセーター１０においては、展開丈ＨＡがユーザー９０の首よりも長い。この構成によれば、ネックウォーマー３０を折り曲げた状態で着衣したときにも、すなわちネックウォーマー３０の形態を着衣形態として着衣したときにも、首の所定部分の周囲がネックウォーマー３０により覆われる。このため、ネックウォーマー３０に厚みを持たせた状態で着衣することができる。
【００３８】
（７）身頃と襟部とが分離した形態の分離型上衣において、ユーザーが着衣したときに襟部を身頃にフィットさせるための工夫として、襟部を身頃に取り付けるための取付部材（例えばボタンまたはフック）を設けることが考えられる。しかし、この場合には、襟部身頃に取り付けるときに指先で接続部材を操作する必要が生じるため、着衣するときに手間がかかる。この点、タートルネックセーター１０においては、ネックウォーマー３０をクルーネックセーター２０に取り付けるための取付部材が設けられていないため、またスリット３９によりクルーネックセーター２０へのフィット性が確保されているため、ユーザー９０が手軽に着用できるネックウォーマー３０でありながらその裾３８がクルーネックセーター２０から大きく離れることを抑制することができる。
【００３９】
（８）身頃と襟部とを単に分離した形態の分離型上衣によれば、ユーザーが身頃および襟部を着衣したときに身頃と襟部との間に隙間が形成されるため、設計時に想定した保温効果を期待することができない。また、不完全な着こなしを強いられることになる。この点、タートルネックセーター１０によれば上述のようにネックウォーマー３０がクルーネックセーター２０にフィットするため、これらの間に隙間が形成されることに起因した問題の発生を抑制することができる。
【００４０】
（９）分離型上衣において身頃および襟部に取付部材が設けられたものによれば、襟部を取り外したときに身頃の開口部分の取付部材が他人の目に付くため、襟部を取り外して使用するときの美観が損なわれる。この点、タートルネックセーター１０においては、クルーネックセーター２０が取付部材を含むことなく形成されているため、ネックウォーマー３０を取り外して着衣したときの美観を保つことができる。
【００４１】
（１０）タートルネックセーター１０においては、ネックウォーマー３０を取り外して利用するときに、ユーザー９０の首もとの美観が損なわれないようにクルーネックセーター２０の開口部分２３の面積が大きく確保されている。このため、クルーネックセーター２０のみを着衣したときの美観を保つことができる。
【００４２】
（その他の実施形態）
なお、本発明の実施態様は上記実施形態の内容に限られるものではなく、例えば同実施形態を以下に示すように変更して実施することもできる。また以下の各変形例は、上記実施形態についてのみ適用されるものではなく、異なる変形例同士を互いに組み合わせて実施することもできる。
【００４３】
・上記実施形態では、ネックウォーマー３０の背面側の左右方向中央の１箇所にだけスリット３９を形成したが、スリットの形成態様はこれに限られない。例えば、以下の（ａ）〜（ｅ）のいずれかに変更することもできる。
（ａ）背面側のスリット３９に加えて背面側の別の箇所に少なくとも１つのスリットを形成する。
（ｂ）ネックウォーマー３０において左右の肩のそれぞれと対応する部位にスリットを形成する。
（ｃ）背面側のスリット３９に代えて、ネックウォーマー３０の正面側の左右方向中央の１箇所にだけスリットを形成する。
（ｄ）背面側のスリット３９に加えて、ネックウォーマー３０の正面側の左右方向中央にスリットを形成する。
（ｅ）上記（ａ）〜（ｄ）の少なくとも２つの形態を組み合わせてスリットを形成する。
【００４４】
・上記実施形態では、ネックウォーマー３０の丈方向に沿うようにスリット３９を形成したが、丈方向に対して斜めにスリットを形成することもできる。この場合、着衣したときの美観のことを考慮すると、スリットを次のように形成することが好ましい。すなわち、背面側の中央部分（縫合部３７が形成されているライン上）に対して左右対称となる２箇所にスリットを形成する。また、下縁３２側から上縁３１側に向かうにつれて左右方向の外側から内側に向かうように斜めにスリットを形成する。
【００４５】
・上記実施形態では、下縁３２側の裾３８だけにスリット３９を形成したが、裾３８に加えて上縁３１側の裾にスリットを形成することもできる。
・上記実施形態では、タートルネックセーター１０の素材としてウール５０％およびアクリル５０％の混紡糸を用いたが、ウールおよびアクリルの割合がこれとは異なる混紡糸を用いることもできる。
【００４６】
・上記実施形態では、タートルネックセーター１０の素材として混紡糸を用いたが、毛糸等の他の糸を用いることもできる。
・上記実施形態では、クルーネックセーター２０およびネックウォーマー３０の素材として同一のものを用いたが、クルーネックセーター２０およびネックウォーマー３０の素材として互いに異なるものを用いることもできる。
【００４７】
・上記実施形態では、長袖（袖２２）を有するタートルネックセーター１０に本発明を適用したが、半袖またはノースリーブのタートルネックセーターに本発明を適用することもできる。
【００４８】
・上記実施形態では、タートルネックセーター１０に本発明を適用したが、身頃とハイネックとが分離した形態の分離型上衣（例えばハイネックセーター）に本発明を適用することもできる。
【００４９】
・上記実施形態では、タートルネックセーター１０に本発明を適用したが、セーター以外の上衣（例えばジャージ）に本発明を適用することもできる。
【符号の説明】
【００５０】
１０…タートルネックセーター（分離型上衣）、２０…クルーネックセーター、２１…身頃、２２…袖、２３…開口部分、３０…ネックウォーマー（襟部）、３１…上縁、３２…下縁、３３…左縁、３４…右縁、３５…中縁、３６…開口部分、３７…縫合部、３８…裾、３９…スリット、９０…ユーザー。
【図１】
2012001867.tif 000003
【図２】
2012001867.tif 000004
【図３】
2012001867.tif 000005
【図４】
2012001867.tif 000006